(57)【要約】【課題】電源が切られて貨幣処理装置がＯＦＦ状態となっている際に不正が行われることを防止して、高いセキュリティを達成すること。【解決手段】貨幣処理装置１００は、筐体１と、搬送部１２０，１３０と、識別部１５０，１５５と、収納部１６０，１７０と、を備えている。筐体１には、開閉可能な開閉部１０，４２，５０が設けられている。貨幣処理装置１００は、さらに、開閉部１０，４２，５０が開けられたことを検知する開閉検知部８１ａ，８１ｂ，８１ｃと、電源ＯＦＦ時に開閉部１０，４２，５０が開けられたことが検知されたことを記憶する記憶部８２と、記憶部８２に電源ＯＦＦ時に開閉部が開けられたことが記憶されていると、電源ＯＮ後であっても精査処理を行った後でのみ通常処理を可能とする、または、電源ＯＮ後の入出金に関する情報を電源ＯＮ前の在高に関する情報と区別して記憶部８２に記憶させる制御部８５と、を備えている。【選択図】図４
2014186745.tif 000002
【特許請求の範囲】
【請求項１】
筐体と、
貨幣を前記筐体内で搬送する搬送部と、
前記搬送部で搬送される貨幣を識別する識別部と、
貨幣を収納する収納部と、
前記筐体に設けられ、開閉可能な開閉部と、
電源ＯＦＦ時でも動作可能となっており、前記開閉部が開けられたことを検知する開閉検知部と、
電源ＯＦＦ時に、前記開閉検知部によって前記開閉部が開けられたことが検知されたことを記憶する記憶部と、
前記記憶部に電源ＯＦＦ時に前記開閉部が開けられたことが記憶されていると、電源ＯＮ後であっても精査処理を行った後でのみ通常処理を可能とする、または、電源ＯＮ後の入出金に関する情報を電源ＯＮ前の在高に関する情報と区別して前記記憶部に記憶させる制御部と、
を備えたことを特徴とする貨幣処理装置。
【請求項２】
前記記憶部は、電源をＯＦＦした時点で、貨幣処理装置内に収納されている金種別の貨幣の枚数からなる在高データを記憶し、
前記制御部は、前記在高データと精査処理によって計数された金種別の貨幣の枚数とが一致した場合にのみ、前記通常処理を可能とすることを特徴とする請求項１に記載の貨幣処理装置。
【請求項３】
前記記憶部は、電源をＯＦＦした時点で、貨幣処理装置内に収納されている金種別の貨幣の枚数からなる在高データを記憶し、
前記制御部は、前記在高データと精査処理によって計数された金種別の貨幣の枚数とが一致しない場合には、所定の操作者である場合に限り、前記通常処理を可能とすることを特徴とする請求項１に記載の貨幣処理装置。
【請求項４】
前記記憶部は、電源をＯＦＦした時点で、貨幣処理装置内に収納されている金種別の貨幣の枚数からなる在高データを記憶し、
前記制御部は、前記記憶部に電源ＯＮ後の入出金に関する情報が電源ＯＮ前の在高に関する情報と区別して前記記憶部に記憶されている場合には、所定の信号を受けた時点で精査処理を行わせ、前記在高データと該精査処理によって計数された金種別の貨幣の枚数とが一致しているかを確認することを特徴とする請求項１に記載の貨幣処理装置。
【請求項５】
前記所定の信号は、電源をＯＦＦする旨の信号からなることを特徴とする請求項４に記載の貨幣処理装置。
【請求項６】
前記所定の信号は、精査処理を行う旨の信号からなり、
前記制御部は、前記記憶部に電源ＯＮ後の入出金に関する情報が電源ＯＮ前の在高に関する情報と区別して前記記憶部に記憶されている場合であって、前記制御部が電源をＯＦＦする旨の信号を受けた際に未だ精査処理をする旨の信号を受けていない場合には、前記精査処理が行われていないことを報知させる、ことを特徴とする請求項４に記載の貨幣処理装置。
【請求項７】
所定の情報を表示する装置表示部をさらに備え、
前記制御部は、前記記憶部に電源ＯＦＦ時に前記開閉部が開けられたことが記憶されていると、前記装置表示部に警告メッセージまたは装置開閉履歴情報を表示させることを特徴とする請求項１乃至６のいずれか１項に記載の貨幣処理装置。
【請求項８】
前記制御部は、前記装置表示部に前記警告メッセージまたは前記装置開閉履歴情報を強調表示させることを特徴とする請求項７に記載の貨幣処理装置。
【請求項９】
前記制御部は、前記記憶部に電源ＯＦＦ時に前記開閉部が開けられたことが記憶されていると、所定の解除操作が行われた場合にのみ、前記通常処理を可能とすることを特徴とする請求項１乃至８のいずれか１項に記載の貨幣処理装置。
【請求項１０】
前記制御部は、前記所定の解除操作を行った解除者に関する情報を前記記憶部に記憶させることを特徴とする請求項９に記載の貨幣処理装置。
【請求項１１】
請求項１乃至１０のいずれか１項に記載の貨幣処理装置と、
前記貨幣処理装置と通信可能であるとともに、端末表示部を有する端末と、を備え、
前記制御部は、前記記憶部に電源ＯＦＦ時に前記開閉部が開けられたことが記憶されていると、前記端末表示部に警告メッセージまたは装置開閉履歴情報を表示させることを特徴とする貨幣処理システム。
【請求項１２】
前記制御部は、前記端末表示部に前記警告メッセージまたは前記装置開閉履歴情報を強調表示させることを特徴とする請求項１１に記載の貨幣処理システム。
【発明の詳細な説明】
【技術分野】
【０００１】
本発明は、貨幣を処理するための貨幣処理装置と、このような貨幣処理装置を用いた貨幣処理システムに関する。
【背景技術】
【０００２】
従来から、貨幣の金種、真偽、正損を識別する識別部と、この識別部の識別結果に従い、入金された貨幣を金種別に収納するとともに、収納済み貨幣を繰り出し可能な複数の金種別収納放出部と、を備えた貨幣処理装置が知られている（例えば、特許文献１参照）。
このような貨幣処理装置には、リジェクトボックス、上部ユニットおよび下部扉などからなる開閉部が設けられており、開閉部を開くことよって、貨幣処理装置内部の貨幣にアクセス可能となっている。
【先行技術文献】
【特許文献】
【０００３】
【特許文献１】特開２００９−１５１３５４号公報
【発明の概要】
【発明が解決しようとする課題】
【０００４】
上述した従来の貨幣処理装置においては、電源が切られて貨幣処理装置がＯＦＦ状態となっている場合には、何ら監視動作が行われておらず、セキュリティ上の問題があった。
【０００５】
本発明は、このような点を考慮してなされたものであり、電源が切られて貨幣処理装置がＯＦＦ状態となっている際に不正が行われることを防止して、高いセキュリティを達成することができる貨幣処理装置を提供することを目的とする。
【課題を解決するための手段】
【０００６】
本発明による貨幣処理装置は、
筐体と、
貨幣を前記筐体内で搬送する搬送部と、
前記搬送部で搬送される貨幣を識別する識別部と、
貨幣を収納する収納部と、
前記筐体に設けられ、開閉可能な開閉部と、
電源ＯＦＦ時でも動作可能となっており、前記開閉部が開けられたことを検知する開閉検知部と、
電源ＯＦＦ時に、前記開閉検知部によって前記開閉部が開けられたことが検知されたことを記憶する記憶部と、
前記記憶部に電源ＯＦＦ時に前記開閉部が開けられたことが記憶されていると、電源ＯＮ後であっても精査処理を行った後でのみ通常処理を可能とする、または、電源ＯＮ後の入出金に関する情報を電源ＯＮ前の在高に関する情報と区別して前記記憶部に記憶させる制御部と、
を備えている。
【０００７】
本発明による貨幣処理装置において、
前記記憶部は、電源をＯＦＦした時点で、貨幣処理装置内に収納されている金種別の貨幣の枚数からなる在高データを記憶し、
前記制御部は、前記在高データと精査処理によって計数された金種別の貨幣の枚数とが一致した場合にのみ、前記通常処理を可能としてもよい。
【０００８】
本発明による貨幣処理装置において、
前記記憶部は、電源をＯＦＦした時点で、貨幣処理装置内に収納されている金種別の貨幣の枚数からなる在高データを記憶し、
前記制御部は、前記在高データと精査処理によって計数された金種別の貨幣の枚数とが一致しない場合には、所定の操作者である場合に限り、前記通常処理を可能としてもよい。
【０００９】
本発明による貨幣処理装置において、
前記記憶部は、電源をＯＦＦした時点で、貨幣処理装置内に収納されている金種別の貨幣の枚数からなる在高データを記憶し、
前記制御部は、前記記憶部に電源ＯＮ後の入出金に関する情報が電源ＯＮ前の在高に関する情報と区別して前記記憶部に記憶されている場合には、所定の信号を受けた時点で精査処理を行わせ、前記在高データと該精査処理によって計数された金種別の貨幣の枚数とが一致しているかを確認してもよい。
【００１０】
本発明による貨幣処理装置において、
前記所定の信号は、電源をＯＦＦする旨の信号からなってもよい。
【００１１】
本発明による貨幣処理装置において、
前記所定の信号は、精査処理を行う旨の信号からなり、
前記制御部は、前記記憶部に電源ＯＮ後の入出金に関する情報が電源ＯＮ前の在高に関する情報と区別して前記記憶部に記憶されている場合であって、前記制御部が電源をＯＦＦする旨の信号を受けた際に未だ精査処理をする旨の信号を受けていない場合には、前記精査処理が行われていないことを報知させてもよい。
【００１２】
本発明による貨幣処理装置は、
所定の情報を表示する装置表示部をさらに備え、
前記制御部は、前記記憶部に電源ＯＦＦ時に前記開閉部が開けられたことが記憶されていると、前記装置表示部に警告メッセージまたは装置開閉履歴情報を表示させてもよい。
【００１３】
本発明による貨幣処理装置において、
前記制御部は、前記装置表示部に前記警告メッセージまたは前記装置開閉履歴情報を強調表示させてもよい。
【００１４】
本発明による貨幣処理装置において、
前記制御部は、前記記憶部に電源ＯＦＦ時に前記開閉部が開けられたことが記憶されていると、所定の解除操作が行われた場合にのみ、前記通常処理を可能としてもよい。
【００１５】
本発明による貨幣処理システムは、
前記制御部は、前記所定の解除操作を行った解除者に関する情報を前記記憶部に記憶させてもよい。
【００１６】
本発明による貨幣処理装置において、
上述した貨幣処理装置と、
前記貨幣処理装置と通信可能であるとともに、端末表示部を有する端末と、を備え、
前記制御部は、前記記憶部に電源ＯＦＦ時に前記開閉部が開けられたことが記憶されていると、前記端末表示部に警告メッセージまたは装置開閉履歴情報を表示させることを特徴とする貨幣処理システム。
【００１７】
本発明による貨幣処理システムにおいて、
前記制御部は、前記端末表示部に前記警告メッセージまたは前記装置開閉履歴情報を強調表示させてもよい。
【発明の効果】
【００１８】
本発明によれば、記憶部に電源ＯＦＦ時に開閉部が開けられたことが記憶されていると、電源ＯＮ後であっても精査処理を行った後でのみ通常処理を可能とする、または、電源ＯＮ後の入出金に関する情報を電源ＯＮ前の在高に関する情報と区別して記憶部に記憶させる。このため、電源が切られて貨幣処理装置がＯＦＦ状態となっている際に、貨幣処理装置内の貨幣が盗まれるなどの不正が行われた場合であっても確実に検知することができる。このため、不正を働こうとする者に対して、抑止力を与えることができ、高いセキュリティを達成することができる。
【図面の簡単な説明】
【００１９】
【図１】本発明の第１の実施の形態による貨幣処理装置を示す斜視図。
【図２】本発明の第１の実施の形態による貨幣処理装置の紙幣処理ユニットを示す側方断面図。
【図３】本発明の第１の実施の形態による貨幣処理装置の硬貨処理ユニットを示す側方断面図。
【図４】本発明の第１の実施の形態による貨幣処理装置における制御信号の流れを説明するためのブロック図。
【図５】本発明の第１の実施の形態による貨幣処理装置における処理の流れを説明するためのフロー図。
【図６】本発明の第１の実施の形態の変形例による貨幣処理装置における処理の流れを説明するためのフロー図。
【図７】本発明の第１の実施の形態による貨幣処理システムにおける処理の流れを説明するためのフロー図。
【図８】本発明の第２の実施の形態による貨幣処理装置における処理の流れを説明するためのフロー図。
【発明を実施するための形態】
【００２０】
第１の実施の形態
以下、本発明に係る貨幣処理装置および貨幣処理システムの第１の実施の形態について、図面を参照して説明する。ここで、図１乃至図７は本発明の第１の実施の形態を示す図である。なお、本願において「貨幣」とは「硬貨」と「紙幣」の両方を意味している。
【００２１】
図１に示すように、本実施の形態の貨幣処理装置１００は、筐体１と、筐体１に設けられて貨幣を入金するための入金部２０，３０と、入金部２０，３０で入金された貨幣を筐体１内で搬送する搬送部１２０，１３０（図２および図３参照）と、搬送部１２０，１３０で搬送される貨幣を識別する識別部１５０，１５５（図２および図３参照）と、識別部１５０，１５５によって識別された貨幣を収納する収納部１６０，１７０（図２および図３参照）と、筐体１に設けられて収納部１６０，１７０に収納された貨幣を搬送部を介して出金するための出金部２５，３５（３５ｒ，３５ｌ）と、を備えている。なお、貨幣処理装置１００は、紙幣を処理する紙幣処理ユニットと、硬貨を処理する硬貨処理ユニットとからなっている。
【００２２】
入金部２０，３０は、紙幣を入金するための紙幣入金部２０と、硬貨を入金するための硬貨入金部３０とを有している。また、搬送部１２０，１３０は、紙幣を搬送するための紙幣搬送部１２０と、硬貨を搬送するための硬貨搬送部１３０とを有している。また、識別部１５０，１５５は、紙幣を識別するための紙幣識別部１５０と、硬貨を搬送するための硬貨識別部１５５とを有している。収納部１６０，１７０は、紙幣を収納するための紙幣収納部１６０と、硬貨を収納するための硬貨収納部１７０とを有している。また、出金部２５，３５は、紙幣を出金するための紙幣出金部２５と、硬貨を出金するための硬貨出金部３５（３５ｒ，３５ｌ）とを有している。
【００２３】
図１に示すように、紙幣入金部２０は、筐体１の前面の幅方向中央位置に配置されて開口された紙幣入金口２１と、この紙幣入金口２１を開閉するために設けられたシャッタ２２と、を有している。また、硬貨入金部３０は、筐体１の上面手前側の幅方向中央位置に配置されて上方に向けて開口された硬貨入金口３１と、この硬貨入金口３１を開閉するために設けられたシャッタ（図示せず）と、を有している。なお、紙幣は、紙幣の長手方向を装置幅方向に、紙幣の短手方向を装置奥行き方向にそれぞれ合わせて、紙幣入金口２１に挿入されることとなる。
【００２４】
また、図２に示すように、紙幣収納部１６０は、金種別に紙幣を収納する複数の金種別紙幣収納庫１６１と、金種別紙幣収納庫１６１内で昇降することで紙幣を昇降させる紙幣リフト１６２とを有する。また、図３に示すように、硬貨収納部１７０は、金種別に硬貨を収納するための複数の金種別硬貨収納庫１７１と、金種別硬貨収納庫１７１内の硬貨を搬送するための収納硬貨搬送部１７２とを有する。なお、収納硬貨搬送部１７２は、硬貨搬送ベルト１７３と、この硬貨搬送ベルト１７３を回転させるプーリー１７４と、このプーリー１７４を回転させる駆動モータ（図示せず）を有している。
【００２５】
また、図２に示すように、紙幣処理ユニットは、紙幣収納部１６０の他に、回収紙幣を収納するために用いられる紙幣カセット１６５を有している。また、図３に示すように、硬貨処理ユニットは、硬貨収納部１７０の他に、回収硬貨を収納するために用いられる硬貨カセット１７５も有している。そして、収納硬貨搬送部１７２によって搬送された硬貨は、カセットシュート切換部１７９によって、硬貨出金部３５ｒ，３５ｌに投出されるか、硬貨カセット１７５に収納されるかが切り換えられる。
【００２６】
また、図１に示すように、紙幣出金部２５は、筐体１の前面の幅方向中央位置で紙幣入金口２１の下方に配置された紙幣出金口２６と、この紙幣出金口２６を開閉するために設けられたシャッタ（図示せず）とを有している。また、図１および図２に示すように、硬貨出金部３５（３５ｒ，３５ｌ）は、筐体１の前面の幅方向左右端位置に設けられて左右のテラー用に設けられた硬貨出金口３６（３６ｒ，３６ｌ）と、各硬貨出金口３６（３６ｒ，３６ｌ）の下方に設けられた凹部に配置されて装置内から払い出される硬貨を受け入れる硬貨出金ボックス３７（３７ｒ，３７ｌ）と、を有している。
【００２７】
なお、紙幣出金口２６の両側近傍には、紙幣出金口２６に紙幣が払い出されたことを点滅表示する紙幣出金ランプが設けられている。また各硬貨出金口３６ｒ，３６ｌの近傍には、対応する硬貨出金口３６ｒ，３６ｌに硬貨が払い出されたことを点滅表示する硬貨出金ランプがそれぞれ設けられている。ところで、紙幣は、紙幣の長手方向を装置幅方向に、紙幣の短手方向を装置奥行き方向にそれぞれ合わせて、紙幣出金口２６から払い出されることとなる。
【００２８】
また、図１に示すように、筐体１の前面の幅方向中央位置で紙幣出金口２６の下方には、前方に向けて開口された凹部内にリジェクト紙幣を収納するリジェクトボックス４２が開閉可能に配置されている。リジェクトボックス４２には、凹部内にリジェクトボックス４２が挿入された状態で、施錠、解錠するリジェクトボックスキー挿入部４５が設けられている。
【００２９】
また、図１に示すように、筐体１の上面の幅方向左右端位置には、左右のテラー用にキー入力部６１ｒ，６１ｌ，６６ｒ，６６ｌがそれぞれ設けられている。キー入力部６１ｒ，６１ｌ，６６ｒ，６６ｌは、左右のテラーで紙幣の入出金処理の占有を指示するための紙幣処理ユニット占有キー６１ｒ，６１ｌと、左右のテラーで硬貨の入出金処理の占有を指示するための硬貨処理ユニット占有キー６６ｒ，６６ｌとを有している。これら紙幣処理ユニット占有キー６１ｒ，６１ｌおよび硬貨処理ユニット占有キー６６ｒ，６６ｌの各々にはランプが内蔵されている。そして、このランプは、例えば対応する硬貨処理ユニットまたは紙幣処理ユニットが占有されている場合に点灯し、対応する硬貨処理ユニットまたは紙幣処理ユニットが占有されていない場合に消灯するなど、必要に応じて点灯、消灯されるように構成されている。
【００３０】
また、図１に示すように、筐体１の上面の幅方向中央には装置表示部７０が設けられ、筐体１の上面右側には複数のファンクションキー７１が設けられている。装置表示部７０では、所定の情報、例えばファンクションキー７１の機能、トラブル時のメッセージ、ガイダンスメッセージなどが表示される。ファンクションキー７１では、装置表示部７０の表示切換、貨幣処理装置１００で行われる処理の選択などの操作が可能になっている。
【００３１】
また、図１に示すように、筐体１の前面の紙幣入金口２１の右側には、貨幣処理装置１００の電源をＯＮ／ＯＦＦする電源スイッチ５が設けられている。また、紙幣出金口２６の左側には、入金処理や出金処理などが実行される通常処理モードから、精査処理が行われる精査処理モードに切換可能にする入金出金モード管理キー５１が設けられている。また、紙幣出金口２６の右側には、上部ユニット５０を施錠、解錠するための上部キー挿入部５５が設けられている。なお、この上部ユニット５０は、筐体１から前方に引き出すことで筐体１から取り外すことができ（開けることができ）、他方、筐体１に向かって押すことによって筐体１に取り付けることができる（閉めることができる）ようになっている。
【００３２】
また、図１に示すように、筐体１の前面でリジェクトボックス４２が挿入される凹部の下方には、下部扉１０が開閉可能に取り付けられている。この下部扉１０には、下部扉１０の閉鎖状態で施錠、解錠される下部扉キー挿入部１５が設けられている。そして、下部扉１０の内側には、紙幣カセット１６５が装置幅方向中央位置に着脱可能に配置されているとともに、この紙幣カセット１６５に対して装置幅方向の一側に並んで硬貨カセット１７５が着脱可能に配置されている（図２および図３参照）。
【００３３】
なお、本実施の形態では、上述したリジェクトボックス４２、上部ユニット５０および下部扉１０が、開閉部を構成している。
【００３４】
また、図４に示すように、リジェクトボックス４２、上部ユニット５０および下部扉１０の各々には、バッテリーなどによって電源ＯＦＦ時（貨幣処理装置１００の電源が切られてＯＦＦ状態になっている時）でも動作可能となっており、リジェクトボックス４２、上部ユニット５０および下部扉１０が開けられたことを検知する開閉検知部８１ａ，８１ｂ，８１ｃが設けられている。なお、リジェクトボックス４２、上部ユニット５０または下部扉１０が「開けられた」というのは、リジェクトボックス４２、上部ユニット５０または下部扉１０が実際に開けられたことだけでなく、リジェクトボックスキー挿入部４５、上部キー挿入部５５または下部扉キー挿入部１５にキーか入れられて解錠されたことも意味している。ところで、開閉検知部８１ａ，８１ｂ，８１ｃとしては、例えば、開閉動作による電気的、磁気的な変化を検出するセンサなど、従来から知られているものを利用することができる。
【００３５】
また、図４に示すように、開閉検知部８１ａ，８１ｂ，８１ｃの各々には、リジェクトボックス４２、上部ユニット５０および下部扉１０が開けられたことが開閉検知部８１ａ，８１ｂ，８１ｃによって検知されたことを記憶する記憶部８２が、後述する制御部８５を介して接続されている。
【００３６】
また、図４に示すように、紙幣搬送部１２０、紙幣識別部１５０および紙幣収納部１６０（とりわけ紙幣リフト１６２）、並びに、硬貨搬送部１３０、硬貨識別部１５５および硬貨収納部１７０（とりわけプーリー１７３を回転させる駆動モータ）には、これらを制御する制御部８５が接続されている。
【００３７】
この制御部８５は、記憶部８２に接続され、電源ＯＦＦ時に、リジェクトボックス４２、上部ユニット５０または下部扉１０が開けられたことが、記憶部８２に記憶されているかを確認するように構成されている。そして、この制御部８５は、電源ＯＦＦ時に、リジェクトボックス４２、上部ユニット５０、または、下部扉１０が開けられたことが記憶部８２に記憶されている場合には、貨幣処理装置１００の電源がＯＮされた後であっても、精査処理を行った後でのみ通常処理を可能とする
【００３８】
また、本実施の形態の記憶部８２は、電源をＯＦＦした時点で貨幣処理装置１００（金種別紙幣収納庫１６１と金種別硬貨収納庫１７１、および／または、紙幣カセット１６５と硬貨カセット１７５）内に収納されている金種別の貨幣の枚数からなる在高データを記憶するように構成されている。そして、制御部８５は、この在高データと精査処理によって計数された金種別の貨幣の枚数とが一致した場合にのみ、通常処理を可能とするように構成されている。
【００３９】
また、制御部８５は、電源ＯＦＦ時に、リジェクトボックス４２、上部ユニット５０または下部扉１０が開けられたりしたことが記憶部８２に記憶されていると、異常が発生したことを示す警告メッセージと、開けられた時間と場所（リジェクトボックス４２、上部ユニット５０および下部扉１０の少なくとも一つ）を含む装置開閉履歴情報を装置表示部７０に表示させるようにも構成されている。なお、このとき、制御部８５は、警告メッセージと問題となる装置開閉履歴情報を、他の表示と色やフォントを変えたり、点滅させたりすることで、装置表示部７０に強調表示させる。
【００４０】
また、制御部８５は、電源ＯＦＦ時に、リジェクトボックス４２、上部ユニット５０または下部扉１０が開けられたことが記憶部８２に記憶されている場合には、管理者によるパスワード入力などの解除操作が行われた場合にのみに次の操作を受け付ける。つまり、解除操作が行われない場合には、貨幣処理装置１００は次の操作を受け付けない状態になる。なお、制御部８５は、パスワード入力などの解除操作を行った管理者（解除者）に関する情報を記憶部８２に記憶させるように構成されている。
【００４１】
次に、このような構成からなる本実施の形態の作用および効果について説明する。
【００４２】
本実施の形態の貨幣処理装置１００は、銀行などの金融機関において左右の２人のテラー間に設置されて利用される。そして、紙幣処理ユニット占有キー６１ｒ，６１ｌによって、左右のテラーで紙幣の入出金処理の占有が指示される。同様に、硬貨処理ユニット占有キー６６ｒ，６６ｌによって、左右のテラーで硬貨の入出金処理の占有が指示される。
【００４３】
このように左右のテラーで占有を行いつつ、業務が行われる。そして、一日の業務が終了すると、貨幣処理装置１００の電源が切られて貨幣処理装置１００がＯＦＦ状態になる。そして、翌日の業務が開始される時点で、貨幣処理装置１００の電源が入れられた貨幣処理装置１００がＯＮ状態になる。なお、一日の業務が終了して貨幣処理装置１００がＯＦＦ状態になるときに、制御部８５によって、貨幣処理装置１００内に収納されている金種別の貨幣の枚数からなる在高データが記憶部８２に記憶される。
【００４４】
上述のように貨幣処理装置１００がＯＮ状態になったときに、本実施の形態の貨幣処理装置１００は、以下のように動作する。なお、本実施の形態の貨幣処理装置１００の動作については、主に図５に示されたフロー図を用いて説明する。
【００４５】
貨幣処理装置１００がＯＮ状態になると（ＳＴ１１参照）、まず、制御部８５によって、電源ＯＦＦ時にリジェクトボックス４２、上部ユニット５０および下部扉１０のいずれか（開閉部）が開けられたことが記憶部８２に記憶されているか、すなわち開放情報があるかが確認される（ＳＴ１３参照）。
【００４６】
ここで、電源ＯＦＦ時に、リジェクトボックス４２、上部ユニット５０および下部扉１０のいずれも開けられたことが記憶部８２に記憶されていなければ（開放情報なし）（ＳＴ１３の「ＮＯ」参照）、入金処理、出金処理などの通常処理が可能となり、何ら問題なく通常の業務で貨幣処理装置１００が用いられ、通常処理が行われる（ＳＴ３０参照）。
【００４７】
他方、電源ＯＦＦ時に、リジェクトボックス４２、上部ユニット５０および下部扉１０のいずれかについて、開けられたことが記憶部８２に記憶されている場合には（開放情報あり）（ＳＴ１３の「ＹＥＳ」参照）、装置表示部７０に、開けられたことを示す警告メッセージと、開けられた時間と開けられた箇所（リジェクトボックス４２、上部ユニット５０および下部扉１０の少なくとも一つ）を含む装置開閉履歴情報が表示される（ＳＴ２１参照）。このとき、警告メッセージと問題となる装置開閉履歴情報が、他の表示と色やフォントが変えられたり点滅されたりすることで、装置表示部７０に強調表示される。このため、テラーなどの操作者は、異常があったことを一目で認識することができる。なお、このような異常があった場合には、装置表示部７０による強調表示の他に、報知部（図示せず）によってアラーム音などを鳴らしてもよい。
【００４８】
次に、異常状態を解除するための解除操作が行われる（ＳＴ２３参照）。なお、本実施の形態では、管理者などの解除者によるパスワード入力などの解除操作が行われた場合にのみ、次の操作を受け付ける。このため、管理者による解除を確実に行わせることができ、テラーなどによって勝手に異常状態が解除されることを防止することができ、テラーなどが異常の発生を隠蔽することを防止することができる。
【００４９】
また、本実施の形態では、解除操作を行った管理者（解除者）に関する情報が、制御部８５によって記憶部８２に記憶される。このため、開閉部（リジェクトボックス４２、上部ユニット５０および下部扉１０）の開閉を管理者が行って不正を働いた場合であっても、不正を働いた管理者を特定することができ、管理者による不正を抑止することができる。
【００５０】
管理者による解除操作が行われると、次に、精査処理を行うことが要求されて、精査処理が行われる（ＳＴ２５参照）。このとき、制御部８５が、電源ＯＦＦ時の在高データと精査処理によって計数された金種別の貨幣の枚数とが一致した場合にのみ、入金処理、出金処理などの通常処理が可能となる（ＳＴ２７およびＳＴ３０参照）。他方、在高データと精査処理によって計数された金種別の貨幣の枚数とが一致しない場合には、異常事態が発生したとして貨幣処理装置１００の利用は停止される（異常終了）（ＳＴ３５参照）。
このとき、装置表示部７０には異常終了したことが表示される。
【００５１】
精査処理の方法には以下のような２つの方法が考えられうる。一つめの方法としては、貨幣処理装置１００内に集積された貨幣を、識別部１５０，１５５で識別計数して、貨幣処理装置１００内に収納されている貨幣の在高を実際にカウントする方法（現物による精査）がある。また、二つめの方法としては、一日の業務開始前の貨幣処理装置１００のカウント値（前日のカウント値）と、一日の業務終了後の貨幣処理装置１００のカウント値とを記憶しておき、一日の業務終了後の貨幣処理装置１００のカウント値と一日の業務開始前の貨幣処理装置１００のカウント値との差分から在高を決定する方法（データによる精査）がある。ここで、カウント値とは、貨幣処理装置１００で処理を行った各金種の処理枚数のことを意味している。
【００５２】
ところで、二つめの方法である「データによる精査」を行う場合には、貨幣処理装置１００におけるカウント値をオペレータ用の操作端末９０や管理者用の管理者端末９５などの上位端末に記憶しておき（図８参照）、上位端末で、一日の業務終了後の貨幣処理装置１００のカウント値と一日の業務開始前の貨幣処理装置１００のカウント値との差分から在高を決定してもよいし、貨幣処理装置１００におけるカウント値を記憶部８２で記憶しておき、制御部８５が、一日の業務終了後の貨幣処理装置１００のカウント値と一日の業務開始前の貨幣処理装置１００のカウント値との差分から在高を決定してもよい。
【００５３】
なお、本実施の形態では、貨幣が盗まれるなどしてカウント値と実際に収納されている貨幣の枚数がずれることを想定しているため、一つめの方法である「現物による精査」によって精査処理が行われることとなる。
【００５４】
本実施の形態では、電源ＯＦＦ時に、リジェクトボックス４２、上部ユニット５０または下部扉１０が開けられたことが記憶部８２に記憶されている場合には、電源がＯＮされた後であっても、精査処理を行った後でのみ通常処理を可能とする。このため、確実に精査処理を行うことができ、電源が切られて貨幣処理装置１００がＯＦＦ状態となっている際に、貨幣処理装置１００内の貨幣が盗まれるなどの不正が行われた場合であっても確実に検知することができる。このため、不正を働こうとする者に対して、抑止力を与えることができ、高いセキュリティを達成することができる。
【００５５】
（変形例）
ところで、上記では、制御部８５が、在高データと精査処理によって計数された金種別の貨幣の枚数とが一致した場合にのみ、通常処理を可能とする態様を用いて説明したが、これに限られることはなく、電源ＯＦＦ時の在高データと精査処理によって計数された金種別の貨幣の枚数とが一致しなくても、管理者などの所定の操作者である場合に限り、通常処理を可能とする態様であってもよい。このような場合（変形例）の貨幣処理装置１００の動作について、主に図６に示されたフロー図を用いて、以下説明する。なお、詳細については、上記の実施の形態と重複するため省略しつつ説明する。
【００５６】
貨幣処理装置１００がＯＮ状態になると（ＳＴ１１参照）、まず、制御部８５によって、電源ＯＦＦ時にリジェクトボックス４２、上部ユニット５０および下部扉１０のいずれかが開けられたことが記憶部８２に記憶されているかが確認される（ＳＴ１３参照）。
【００５７】
ここで、電源ＯＦＦ時に、リジェクトボックス４２、上部ユニット５０および下部扉１０のいずれも開けられたことが記憶部８２に記憶されていなければ（開放情報なし）（ＳＴ１３の「ＮＯ」参照）、入金処理、出金処理などの通常処理が可能となり、何ら問題なく通常の業務で貨幣処理装置１００が用いられ、通常処理が行われる（ＳＴ３０参照）。
【００５８】
他方、電源ＯＦＦ時に、リジェクトボックス４２、上部ユニット５０および下部扉１０のいずれかについて、開けられたことが記憶部８２に記憶されている場合には（開放情報あり）（ＳＴ１３の「ＹＥＳ」参照）、装置表示部７０に、開けられたことを示す警告メッセージと、開けられた時間と開けられた箇所を含む装置開閉履歴情報が表示される（ＳＴ２１参照）。
【００５９】
このような表示を受けて、管理者などの解除者によって解除操作が行われる（ＳＴ２３参照）。次に、精査処理を行うことが要求されて、精査処理が行われる（ＳＴ２５参照）。このとき、制御部８５が、電源ＯＦＦ時の在高データと精査処理によって計数された金種別の貨幣の枚数とが一致した場合には、入金処理、出金処理などの通常処理が可能となる（ＳＴ２７およびＳＴ３０参照）。他方、在高データと精査処理によって計数された金種別の貨幣の枚数とが一致しない場合には、管理者などの信頼のおける所定の操作者が操作しているかが確認される（ＳＴ４０参照）。
【００６０】
ここで、所定の操作者が操作していると確認された場合には、入金処理、出金処理などの通常処理が可能となる（ＳＴ４０およびＳＴ３０参照）。他方、所定の操作者が操作していると確認されない場合には、異常事態が発生したとして貨幣処理装置１００の利用は停止され続ける（異常終了）（ＳＴ３５参照）。
【００６１】
このような態様によれば、電源ＯＦＦ時の在高データと精査処理によって計数された金種別の貨幣の枚数とが一致しなかった場合であっても、信頼のおける所定の操作者が貨幣処理装置１００の操作を行うので、電源ＯＦＦ時の不正を隠匿するような行動を行う危険が少ない。このため、例え電源ＯＦＦ時の在高データと精査処理によって計数された金種別の貨幣の枚数とが一致しなくても、貨幣処理装置１００の利用を可能としつつ、不正の隠匿も防止することができる。
【００６２】
なお、所定の操作者であるかは、ファンクションキー７１を介してパスワードが入力されることなどによって認識されたり、オペレータ用の操作端末９０（図７参照）などの上位端末を介してパスワードが入力されることなどによって認識されたりする。
【００６３】
また、上記では、警告メッセージと問題となる装置開閉履歴情報が、装置表示部７０に表示される態様を用いて説明したが、これに限られることはない。例えば、貨幣処理装置１００と、貨幣処理装置１００に接続されて端末表示部９０ａを有するオペレータ用の操作端末９０や、複数のオペレータ用の操作端末９０に接続されて端末表示部９５ａを有する管理者用の管理者端末９５とが通信可能となっている場合には、制御部８５が当該端末表示部９０ａ，９５ａに警告メッセージと装置開閉履歴情報を表示させてもよい（図７参照）。またこのとき、制御部８５は、警告メッセージと装置開閉履歴情報を、他の表示と色やフォントを変えたり、点滅させたりすることで、端末表示部９０ａ，９５ａに強調表示させてもよい。
【００６４】
ところで、このようにオペレータ用の操作端末９０や管理者用の管理者端末９５などの端末が貨幣処理装置１００に接続されている場合には、特にファンクションキー７１が設けられている必要はない（図７参照）。
【００６５】
第２の実施の形態
次に、図８により、本発明の第２の実施の形態について説明する。
【００６６】
第１の実施の形態は、記憶部８２に電源ＯＦＦ時に開閉部が開けられたことが記憶されていると、制御部８５は、電源ＯＮ後であっても精査処理を行った後でのみ通常処理を可能とする態様であったが、本実施の形態では、記憶部８２に電源ＯＦＦ時に開閉部が開けられたことが記憶されていると、制御部８５が、電源をＯＮした後（電源ＯＮ後）の入出金に関する情報を、電源をＯＮする前（電源ＯＮ前）の在高に関する情報と区別して記憶部８２に記憶させる態様になっている。第２の実施の形態において、その他の構成は、第１の実施の形態と略同一の態様となっている。
【００６７】
図８に示す第２の実施の形態において、図１乃至図７に示す第１の実施の形態と同一部分には同一符号を付して詳細な説明は省略する。なお、第１の実施の形態と重複する部分については、省略しつつ説明する。
【００６８】
貨幣処理装置１００がＯＮ状態になると（ＳＴ１１参照）、まず、制御部８５によって、電源ＯＦＦ時にリジェクトボックス４２、上部ユニット５０および下部扉１０のいずれかが開けられたことが記憶部８２に記憶されているかが確認される（ＳＴ１３参照）。
【００６９】
ここで、電源ＯＦＦ時に、リジェクトボックス４２、上部ユニット５０および下部扉１０のいずれも開けられたことが記憶部８２に記憶されていなければ（開放情報なし）（ＳＴ１３の「ＮＯ」参照）、入金処理、出金処理などの通常処理が可能となり、何ら問題なく通常の業務で貨幣処理装置１００が用いられ、通常処理が行われる（ＳＴ３０参照）。
【００７０】
他方、電源ＯＦＦ時に、リジェクトボックス４２、上部ユニット５０および下部扉１０のいずれかについて、開けられたことが記憶部８２に記憶されている場合には（開放情報あり）（ＳＴ１３の「ＹＥＳ」参照）、装置表示部７０に、開けられたことを示す警告メッセージと、開けられた時間と開けられた箇所を含む装置開閉履歴情報が表示される（ＳＴ２１参照）。
【００７１】
このような表示を受けて、管理者などの解除者によって解除操作が行われる（ＳＴ２３参照）。このことによって、入金処理、出金処理などの通常処理が可能となる（ＳＴ３１参照）。なお、このように通常処理が行われている間、貨幣処理装置１００の電源をＯＮした後の入出金に関する情報が、電源をＯＮする前の在高に関する情報と区別して記憶部８２に記憶される（ＳＴ３１参照）。
【００７２】
このように通常処理を行って、例えば一日の業務が終了した時点で、精査処理が行われる（ＳＴ２５参照）。より具体的には、貨幣処理装置１００内に集積された貨幣を識別部１５０，１５５で識別計数して貨幣処理装置１００内に収納されている貨幣の在高を実際にカウントし、そのカウント結果から電源をＯＮした後の入出金のデータ（カウント）を差し引くことによって、精査処理が行われる。なお、制御部８５は、例えば電源をＯＦＦする旨の信号や操作者から与えられる精査処理を行う旨の信号などの所定の信号を受けた時点で精査処理を行わせる。
【００７３】
精査処理を行った結果、電源ＯＦＦ時の在高データと精査処理によって計数された金種別の貨幣の枚数とが一致した場合には、貨幣処理装置１００の電源がＯＦＦされて（ＳＴ３６参照）、終了される。他方、電源ＯＦＦ時の在高データと、精査処理によって計数された金種別の貨幣の枚数とが一致しない場合には、異常事態が発生したとして貨幣処理装置１００の利用は停止される（異常終了）（ＳＴ３５参照）。
【００７４】
このように本実施の形態では、電源ＯＦＦ時に、リジェクトボックス４２、上部ユニット５０または下部扉１０が開けられたことが記憶部８２に記憶されている場合には、電源をＯＮした後の入出金に関する情報を、電源をＯＮする前の在高に関する情報と区別して記憶部８２に記憶させ、精査処理が例えば一日の業務が終了した時点で行われる。
【００７５】
このため、第１の実施の形態のように、貨幣処理装置１００の利用を開始する前に精査処理を行う必要がなく、貨幣処理装置１００が利用できなくなる事態が発生することを防止することができる。すなわち、貨幣処理装置１００が開閉された可能性があれば、本来ならば第１の実施の形態のようにまず精査処理をしたいところではあるが、例えば銀行が開店直前である場合などには、貨幣処理装置１００が利用できないと銀行業務に支障をきたすこととなる。この点、本実施の形態によれば、とりあえず精査処理を行うことなく貨幣処理装置１００を利用することができる。
【００７６】
また、時間的には後回しになるものの、本実施の形態でも確実に精査処理が行われる。
このため、第１の実施の形態と同様、貨幣処理装置１００がＯＦＦ状態となっている際に、貨幣処理装置１００内の貨幣が盗まれるなどの不正が行われれば、その不正を確実に検知することができる。このため、不正を働こうとする者に対して、抑止力を与えることができ、高いセキュリティを達成することができる。
【００７７】
ところで、精査処理を、電源をＯＦＦする旨の信号を制御部８５が受けたことに基づいて行う場合には、精査処理が行われずに貨幣処理装置１００がＯＦＦ状態になることを防止することができる。
【００７８】
他方、精査処理を、操作者から与えられる精査処理を行う旨の信号を制御部８５が受けたことに基づいて行う場合には、精査処理が行われずに貨幣処理装置１００がＯＦＦ状態にされる可能性がある。このため、電源をＯＦＦする旨の信号を受けた際に未だ精査処理をする旨の信号を受けていない場合には、制御部８５が、装置表示部７０や端末表示部９０ａ，９５ａに精査処理が行われていないことを表示させて、報知させることが好ましい。
【００７９】
ところで、上記の各実施の形態では、貨幣処理装置として、貨幣の入金処理と出金処理の両方を行うことができる入出金機を例にとって説明したが、内部に貨幣が残される装置であれば、これに限られることはなく、例えば入金処理のみを行うことができる入金機や、出金処理のみを行うことができる出金機を、貨幣処理装置として用いることもできる。
【符号の説明】
【００８０】
１          筐体
１０        下部扉（開閉部）
１５        下部扉キー挿入部
２０        紙幣入金部
２５        紙幣出金部
３０        硬貨入金部
３５（３５ｒ，３５ｌ）  硬貨出金部
４２        リジェクトボックス（開閉部）
４５        リジェクトボックスキー挿入部
５０        上部ユニット（開閉部）
５５        上部キー挿入部
７０        装置表示部
７１        ファンクションキー
８１ａ，８１ｂ，８１ｃ  開閉検知部
８２        記憶部
８５        制御部
１００      貨幣処理装置
１２０      紙幣搬送部
１３０      硬貨搬送部
１５０      紙幣識別部
１５５      硬貨識別部
１６０      紙幣収納部
１７０      硬貨収納部
【図１】
2014186745.tif 000003
【図２】
2014186745.tif 000004
【図３】
2014186745.tif 000005
【図４】
2014186745.tif 000006
【図５】
2014186745.tif 000007
【図６】
2014186745.tif 000008
【図７】
2014186745.tif 000009
【図８】
2014186745.tif 000010
【手続補正書】
【提出日】平成26年6月2日(2014.6.2)
【手続補正１】
【補正対象書類名】特許請求の範囲
【補正対象項目名】全文
【補正方法】変更
【補正の内容】
【特許請求の範囲】
【請求項１】
筐体と、
前記筐体に設けられ、開閉可能な開閉部と、
電源がＯＦＦ状態でも動作可能となっており、前記開閉部が開けられたことを検知する開閉検知部と、
電源がＯＦＦ状態の時に、前記開閉検知部によって前記開閉部が開けられたことが検知されたことを記憶する記憶部と、
所定の情報を表示する装置表示部と、
前記記憶部に電源がＯＦＦ状態の時に前記開閉部が開けられたことが記憶されている場合、前記装置表示部に異常が発生したことを表示させる制御部と、
を備えたことを特徴とする貨幣処理装置。
【請求項２】
前記制御部は、前記記憶部に電源がＯＦＦ状態の時に前記開閉部が開けられたことが記憶されている場合、電源がＯＮされた後であっても精査処理を行った後で通常処理を可能とすることを特徴とする請求項１に記載の貨幣処理装置。
【請求項３】
前記制御部は、前記記憶部に電源がＯＦＦ状態の時に前記開閉部が開けられたことが記憶されている場合、パスワード入力による解除操作が行われたときにのみ、通常処理を可能とする請求項１または２に記載の貨幣処理装置。
【請求項４】
前記記憶部は、電源をＯＦＦした時点の貨幣処理装置内に収納されている金種別の貨幣の在高データを記憶し、
前記制御部は、前記在高データと精査処理によって計数された金種別の貨幣の在高データとが一致しない場合には、所定の操作者である場合に限り、通常処理を可能とすることを特徴とする請求項１乃至３のいずれか１項に記載の貨幣処理装置。
【請求項５】
前記記憶部は、前記開閉部が開けられた時間を含む装置開閉履歴情報を記憶することを特徴とする請求項１乃至４のいずれか１項に記載の貨幣処置装置。
【請求項６】
前記制御部は、前記装置表示部に異常が発生したことを強調表示させることを特徴とする請求項１乃至５のいずれか１項に記載の貨幣処理装置。
【請求項７】
貨幣処理装置と、
前記貨幣処理装置と通信可能であるとともに、端末表示部を有する端末と、を備え、
前記貨幣処理装置は、
筐体と、
前記筐体に設けられ、開閉可能な開閉部と、
電源がＯＦＦ状態でも動作可能となっており、前記開閉部が開けられたことを検知する開閉検知部と、
電源がＯＦＦ状態の時に、前記開閉検知部によって前記開閉部が開けられたことが検知されたことを記憶する記憶部と、
前記記憶部に電源がＯＦＦ状態の時に前記開閉部が開けられたことが記憶されている場合、前記端末表示部に異常が発生したことを表示させる制御部と、
を有することを特徴とする貨幣処理システム。
【請求項８】
前記制御部は、前記記憶部に電源がＯＦＦ状態の時に前記開閉部が開けられたことが記憶されている場合、電源がＯＮされた後であっても精査処理を行った後で通常処理を可能とすることを特徴とする請求項７に記載の貨幣処理システム。
【請求項９】
前記制御部は、前記記憶部に電源がＯＦＦ状態の時に前記開閉部が開けられたことが記憶されている場合、パスワード入力による解除操作が行われたときにのみ、通常処理を可能とする請求項７または８に記載の貨幣処理システム
【請求項１０】
前記記憶部は、電源をＯＦＦした時点の貨幣処理装置内に収納されている金種別の貨幣の在高データを記憶し、
前記制御部は、前記在高データと精査処理によって計数された金種別の貨幣の在高データとが一致しない場合には、所定の操作者である場合に限り、通常処理を可能とすることを特徴とする請求項７乃至９のいずれか１項に記載の貨幣処理システム。
【請求項１１】
前記記憶部は、前記開閉部が開けられた時間を含む装置開閉履歴情報を記憶することを特徴とする請求項７乃至１０のいずれか１項に記載の貨幣処置システム。
【請求項１２】
前記制御部は、前記装置表示部に異常が発生したことを強調表示させることを特徴とする請求項７乃至１１のいずれか１項に記載の貨幣処置システム。